(57)【要約】【課題】リモコン装置に対するユーザの誤操作によってペアリング処理が実行されることを抑制する。【解決手段】シャッター装置とペアリング処理を行うことで前記シャッター装置の遠隔操作が可能となるリモコン装置であって、前記シャッター装置とペアリングされていない場合には、前記リモコン装置に対する第１の操作によって前記ペアリング処理を実行し、一以上の前記シャッター装置とペアリングされている場合には、前記第１の操作が行われても前記ペアリング処理を実行しない制御部を備える。【選択図】図１
2020088696.tif 000002
【特許請求の範囲】
【請求項１】
シャッター装置とペアリング処理を行うことで前記シャッター装置の遠隔操作が可能となるリモコン装置であって、
前記シャッター装置とペアリングされていない場合には、前記リモコン装置に対する第１の操作によって前記ペアリング処理を実行し、一以上の前記シャッター装置とペアリングされている場合には、前記第１の操作が行われても前記ペアリング処理を実行しない制御部を備えることを特徴とする、リモコン装置。
【請求項２】
前記リモコン装置は、複数のシャッター装置とペアリング処理が可能であって、
前記制御部は、前記複数のシャッター装置のうち、一以上の前記シャッター装置とペアリングされている場合には、前記リモコン装置に対して前記第１の操作とは異なる第２の操作が行われことでのみ前記ペアリング処理を実行する、請求項１に記載のリモコン装置。
【請求項３】
前記リモコン装置は、第１の操作部及び第２の操作部を備え、
前記第１の操作は、前記第１の操作部への操作であり、
前記第２の操作は、前記第２の操作部への操作である、
請求項２に記載のリモコン装置。
【請求項４】
前記第１の操作部は、前記遠隔操作を行うことが可能な操作部であり、
前記第２の操作部は、前記ペアリング処理の行うための専用の操作部である、
請求項３に記載のリモコン装置。
【請求項５】
前記第１の操作部は、複数のスイッチを備えており、
前記第１の操作は、前記複数のスイッチのうち、一つのスイッチの短押し操作とは異なる操作である、請求項３又は４に記載のリモコン装置。
【請求項６】
前記第１の操作は、前記複数のスイッチのうち二つ以上のスイッチの同時押し、又は、前記複数のスイッチのうち一つ以上のスイッチの長押しである、請求項５に記載のリモコン装置。
【請求項７】
前記第１の操作部は、開スイッチ、閉スイッチ、及び停止スイッチを備え、
前記制御部は、前記第１の操作として開スイッチ、閉スイッチ、及び停止スイッチのうち、前記停止スイッチを含む二つ以上のスイッチの同時押しが設定されている場合において、前記シャッター装置とペアリングされている状態で前記第１の操作が行われた場合には、当該シャッター装置のシャッターカーテンの開閉動作を停止させる停止信号を当該シャッター装置に送信する、請求項３から６のいずれか一項に記載のリモコン装置。
【請求項８】
シャッター装置と、
請求項１から７のいずれか一項に記載のリモコン装置であって、前記シャッター装置とペアリング処理を行うことで当該シャッター装置に遠隔操作が可能となるリモコン装置と、
を備え、
前記ペアリング処理は、リモコン装置及び前記シャッター装置のそれぞれにおいて、相互に相手の識別情報を含むペアリング情報を登録することであって、
前記リモコン装置及び前記シャッター装置のうち、一方の装置が他方の装置の前記ペアリング情報の登録に失敗した場合には、前記他方の装置は、前記一方の装置のペアリング情報の登録を解除するシャッターシステム。
【発明の詳細な説明】
【技術分野】
【０００１】
本発明は、リモコン装置及びシャッターシステムに関する。
【背景技術】
【０００２】
下記特許文献１には、シャッター装置とペアリング処理（相手の装置を登録する処理）を行うことでシャッター装置の遠隔操作が可能となるリモコン装置が開示されている。
【０００３】
上記リモコン装置には、ペアリングするための専用スイッチが設けられている。そのため、ユーザは、この専用スイッチを押下することで、リモコン装置からシャッター装置にペアリング要求信号を送信させてペアリング処理を実行させることができる。
【０００４】
ところで、シャッター装置と当該シャッター装置を遠隔操作するリモコン装置とは、それぞれ同一メーカーでセット販売される。したがって、ペアリング処理は、作業者により工場の出荷やシャッター装置の施工時に行われることがある。
【先行技術文献】
【特許文献】
【０００５】
【特許文献１】特開２０１６−２２５６８０号公報
【発明の概要】
【発明が解決しようとする課題】
【０００６】
ただし、上記専用スイッチは、ユーザが通常触れることがない箇所に設けられていることが多い。したがって、専用スイッチへの操作が煩わしく、作業者がペアリング処理を行うのに多大な時間を要す。そこで、専用スイッチではなく、シャッター装置の遠隔操作を行う通常スイッチ（例えば、シャッターの開閉ボタン等）に対して所定の操作を行うことでペアリングを実行させる方法が考えられる。
しかしながら、この方法では、リモコン装置に対するユーザの誤操作によってペアリング処理が実行されるおそれがあり、改善の余地がある。
【０００７】
本発明は、このような事情に鑑みてなされたもので、その目的は、リモコン装置に対するユーザの誤操作によってペアリング処理が実行されることを抑制可能なリモコン装置及びシャッターシステムを提供することである。
【課題を解決するための手段】
【０００８】
本発明の一態様は、シャッター装置とペアリング処理を行うことで前記シャッター装置の遠隔操作が可能となるリモコン装置であって、前記シャッター装置とペアリングされていない場合には、前記リモコン装置に対する第１の操作によって前記ペアリング処理を実行し、一以上の前記シャッター装置とペアリングされている場合には、前記第１の操作が行われても前記ペアリング処理を実行しない制御部を備えることを特徴とする、リモコン装置である。
【０００９】
本発明の一態様は、上述のリモコン装置であって、前記リモコン装置は、複数のシャッター装置とペアリング処理が可能であって、前記制御部は、前記複数のシャッター装置のうち、一以上の前記シャッター装置とペアリングされている場合には、前記リモコン装置に対して前記第１の操作とは異なる第２の操作が行われことでのみ前記ペアリング処理を実行する。
【００１０】
本発明の一態様は、上述のリモコン装置であって、前記リモコン装置は、第１の操作部及び第２の操作部を備え、前記第１の操作は、前記第１の操作部への操作であり、
前記第２の操作は、前記第２の操作部への操作である。
【００１１】
本発明の一態様は、上述のリモコン装置であって、前記第１の操作部は、前記遠隔操作を行うことが可能な操作部であり、前記第２の操作部は、前記ペアリング処理の行うための専用の操作部である。
【００１２】
本発明の一態様は、上述のリモコン装置であって、前記第１の操作部は、複数のスイッチを備えており、前記第１の操作は、前記複数のスイッチのうち、一つのスイッチの短押し操作とは異なる操作である。
【００１３】
本発明の一態様は、上述のリモコン装置であって、前記第１の操作は、前記複数のスイッチのうち二つ以上のスイッチの同時押し、又は、前記複数のスイッチのうち一つ以上のスイッチの長押しである。
【００１４】
本発明の一態様は、上述のリモコン装置であって、前記第１の操作部は、開スイッチ、閉スイッチ、及び停止スイッチを備え、前記制御部は、前記第１の操作として開スイッチ、閉スイッチ、及び停止スイッチのうち、前記停止スイッチを含む二つ以上のスイッチの同時押しが設定されている場合において、前記シャッター装置とペアリングされている状態で前記第１の操作が行われた場合には、当該シャッター装置のシャッターカーテンの開閉動作を停止させる停止信号を当該シャッター装置に送信する。
【００１５】
本発明の一態様は、シャッター装置と、上述のリモコン装置であって、前記シャッター装置とペアリング処理を行うことで当該シャッター装置に遠隔操作が可能となるリモコン装置と、を備え、前記ペアリング処理は、リモコン装置及び前記シャッター装置のそれぞれにおいて、相互に相手の識別情報を含むペアリング情報を登録することであって、
前記リモコン装置及び前記シャッター装置のうち、一方の装置が他方の装置の前記ペアリング情報の登録に失敗した場合には、前記他方の装置は、前記一方の装置のペアリング情報の登録を解除するシャッターシステムである。
【発明の効果】
【００１６】
以上説明したように、本発明によれば、リモコン装置に対するユーザの誤操作によってペアリング処理が実行されることを抑制することができる。
【図面の簡単な説明】
【００１７】
【図１】本発明の一実施形態に係るリモコン装置を備えたシャッターシステムＡの概略構成の一例を示す図である。
【図２】本発明の一実施形態に係るリモコン装置２の外観図である。
【図３】本発明の一実施形態に係るシャッター装置１の主要の制御ブロック図である。
【図４】本発明の一実施形態に係るリモコン装置２の主要の制御ブロック図である。
【図５】本発明の一実施形態に係るリモコン装置２の動作のフロー図である。
【図６】本発明の一実施形態に係るリモコン装置２とシャッター装置１とのペアリング処理のシーケンス図である。
【発明を実施するための形態】
【００１８】
以下、本発明の一実施形態に係るリモコン装置及びシャッターシステムを、図面を用いて説明する。
【００１９】
図１は、本発明の一実施形態に係るリモコン装置を備えたシャッターシステムＡの概略構成の一例を示す図である。
図１に示すシャッターシステムＡは、一以上のシャッター装置１及びリモコン装置２を備える。
【００２０】
シャッター装置１は、建物の窓やドア等の開口部の開閉を行う電動シャッター装置である。シャッター装置１は、シャッターカーテン１ａを備え、リモコン装置２からの操作信号に基づいてシャッターカーテン１ａを開閉することにより上記開口部を開放、又は閉鎖することができる。なお、シャッターカーテン１ａを開閉するための駆動源には、例えば電動モータが用いられる。
【００２１】
リモコン装置２は、操作対象であるシャッター装置１と相互に無線通信可能であって、そのシャッター装置１を遠隔操作が可能な遠隔操作装置である。このリモコン装置２は、ユーザや作業者が操作可能であって、そのリモコン装置２に対する操作に応じた信号をシャッター装置１に送信する。これにより、リモコン装置２は、シャッター装置１におけるシャッターカーテン１ａの開閉動作やその開閉動作の停止動作を遠隔から制御することができる。
【００２２】
例えば、リモコン装置２は、開スイッチ４が操作されると、シャッターカーテン１ａの開動作を指示する第１の操作信号をシャッター装置１に送信する。また、リモコン装置２は、閉スイッチ５が操作されると、シャッターカーテン１ａの閉動作を指示する第２の操作信号をシャッター装置１に送信する。さらに、リモコン装置２は、停止スイッチ６が操作されると、シャッターカーテン１ａの開動作又は閉動作の停止を指示する停止信号をシャッター装置１に送信する。
【００２３】
本実施形態のリモコン装置２は、複数のシャッター装置１と相互に無線通信可能であって、各シャッター装置１の遠隔操作が可能である。ただし、本発明はこれに限定されず、リモコン装置２は、一台のシャッター装置１とのみ無線通信を行ってもよい。すなわち、リモコン装置２は、１チャンネルのリモコンであってもよいし、複数チャンネルのリモコンであってもよい。
【００２４】
ただし、リモコン装置２とシャッター装置１との間で無線通信を行うためには、無線通信する通信相手の認証手続であるペアリング処理を実行する必要がある。なお、本実施形態のリモコン装置２は、複数のシャッター装置１のそれぞれとペアリング処理が可能である。
【００２５】
本実施形態のペアリング処理では、リモコン装置２及びシャッター装置１のそれぞれにおいて、相互に相手の識別情報を含むペアリング情報を登録する場合について説明するが、本発明はこれに限定されない。例えば、本発明に係るペアリング処理は、相互に相手の識別情報を含むペアリング情報を登録する必要はなく、少なくとも、リモコン装置２がシャッター装置１の識別情報を含むペアリング情報を登録することでペアリングを行ってもよいし、シャッター装置１がリモコン装置２の識別情報を含むペアリング情報を登録することでペアリングを行ってもよい。ただし、この場合には、シャッター装置１とリモコン装置２との間の無線通信は、双方向ではなく、一方の装置から他方の装置へ一方向の無線通信となる。
【００２６】
なお、本実施形態では、リモコン装置２とシャッター装置１との間の無線通信方式は、短距離無線通信規格ＲＦ４ＣＥ（Radio Frequency for Consumer Electronics）を例として説明するが、本発明はこれに限定されず、リモコン装置２とシャッター装置１との間で無線通信が可能であれば特に限定されない。例えば、リモコン装置２とシャッター装置１との間の無線通信方式は、Bluetooth（登録商標）であってもよい。
【００２７】
図２は、本発明の一実施形態に係るリモコン装置２の外観図である。図２（ａ）が、本発明の一実施形態に係るリモコン装置２の前面を示し、図２（ｂ）が本発明の一実施形態に係るリモコン装置２の背面を示す図である。ただし、図２（ｂ）では、リモコン装置２の電池カバー１０が取り外された状態を示す。
【００２８】
図２（ａ）に示すように、リモコン装置２の前面には、第１の操作部３が設けられている。この第１の操作部３は、ユーザにより通常時（シャッターカーテン１ａを開閉させる場合等）に操作される操作部であって、例えば、シャッター装置１の遠隔操作を行うことが可能な操作部である。
【００２９】
本実施形態では、第１の操作部３は、開スイッチ４、閉スイッチ５、停止スイッチ６及びメニュースイッチ７を備える。ただし、本発明はこれに限定されず、例えば、第１の操作部３は、開スイッチ４、閉スイッチ５、停止スイッチ６及びメニュースイッチ７の少なくてもいずれかを含んでいればよい。
【００３０】
開スイッチ４は、シャッターカーテン１ａを上昇させるスイッチである。
閉スイッチ５は、シャッターカーテン１ａを下降させるスイッチである。
停止スイッチ６は、シャッターカーテン１ａの昇又は下降を停止させるスイッチである。
【００３１】
これにより、ユーザは、開スイッチ４、閉スイッチ５又は停止スイッチ６を押下することで、ペアリング処理が完了しているシャッターカーテン１ａの開動作、閉動作、又は停止を行うことができる。なお、リモコン装置２は、ペアリング処理が完了しているシャッター装置１を遠隔操作する場合において、ユーザによって、開スイッチ４、閉スイッチ５及び停止スイッチ６のいずれかのスイッチが押下されると、その押下されたスイッチに応じた信号（操作信号や停止信号）をシャッター装置１に出力する。
【００３２】
メニュースイッチ７は、シャッターカーテン１ａの開閉及び停止以外の機能を実行させるためのスイッチであって、例えば、ペアリング処理が完了している複数のシャッター装置１のうち遠隔操作するシャッター装置１を選択又は変更するためにユーザや作業者により操作される。したがって、リモコン装置２は、ペアリング処理が完了しているシャッター装置１を遠隔操作する場合において、ユーザによって、メニュースイッチ７が押下されると、メニュースイッチ７に対応付けられた機能の実行を示す制御信号をシャッター装置１に出力する。
【００３３】
図２（ｂ）に示すように、リモコン装置２の背面には、電池ボックス８、第２の操作部９及び電池カバー１０が設けられている。
【００３４】
電池ボックス８は、電池を収納するものであって、例えば、リモコン装置２の背面から前面側に向かって凹んで形成される。
【００３５】
第２の操作部９は、ペアリング処理の行うための専用の操作部である。したがって、リモコン装置２は、ユーザにより第２の操作部９が操作されると、ペアリング処理を実行する。
【００３６】
第２の操作部９は、例えば、ユーザがリモコン装置２の通常使用時に触れることがない箇所に設けられている。ここで、通常使用時は、例えば、ユーザが日常的にリモコン装置２を操作する場合であって、シャッター装置１のシャッターカーテン１ａを開閉又は停止させるためにリモコン装置２を使用する場合が該当する。例えば、通常使用時とは、ユーザが第１の操作部３を操作する場合である。なお、本実施形態では、第２の操作部９は、電池カバーが取り外されると露出する位置に設けられている。
【００３７】
電池カバー１０は、電池ボックス８及び第２の操作部９をリモコン装置２の背面側から覆うようにリモコン装置２の本体ケースに取り付け可能に構成されている。したがって、リモコン装置２は、電池カバーが取り外されることにより、電池ボックス８の内部に電池を収納可能なように構成され、且つ、第２の操作部９が操作可能に構成されている。
【００３８】
図３は、本発明の一実施形態に係るシャッター装置１の主要の制御ブロック図である。
図３に示すように、シャッター装置１は、無線通信部１１、制御部１２及び格納部１３を備えている。
【００３９】
無線通信部１１は、リモコン装置２と無線通信することで情報を送受する。この無線通信部１１の通信方式は、特に限定されないが、本実施形態では、上述したように短距離無線通信規格ＲＦ４ＣＥが用いられる。
【００４０】
制御部１２は、リモコン装置２との関連付けが完了している場合（すなわち、ペアリング処理が完了している場合）には、リモコン装置２からの操作信号や停止信号、制御信号の受信を待機する。そして、例えば、制御部１２は、リモコン装置２から無線通信部１１を介して操作信号を受信した場合には、その操作信号に応じてシャッターカーテン１ａの開閉を行う。
【００４１】
ただし、制御部１２は、リモコン装置２との関連付けが完了していない場合（すなわち、ペアリング処理が完了していない場合）は、ペアリング処理を実行する。具体的には、制御部１２は、リモコン装置２からペアリング処理の実行を示すペアリング要求信号を取得したことを契機として、ペアリング処理を実行する。
例えば、ペアリング処理として、制御部１２は、自装置のシャッター装置１の識別情報を含む第１のペアリング情報をリモコン装置２に送信し、当該リモコン装置２の識別情報を含む第２のペアリング情報を当該リモコン装置２から受信する。そして、制御部１２は、第２のペアリング情報を格納部１３に格納することで、第２のペアリング情報を登録する。
【００４２】
ここで、第１のペアリング情報は、シャッター装置１の識別情報を含んでいればよい。例えば、第１のペアリング情報は、シャッター装置１の識別情報であってもよいし、当該識別情報及び暗号キーを含んでもよい。第２のペアリング情報は、リモコン装置２の識別情報を含んでいればよい。例えば、第２のペアリング情報は、リモコン装置２の識別情報であってもよいし、当該識別情報及び暗号キーを含んでもよい。
【００４３】
なお、制御部１２は、ＣＰＵ又はＭＰＵなどのマイクロプロセッサ、ＭＣＵなどのマイクロコントローラなどにより構成されてよい。
【００４４】
格納部１３には、ペアリング処理が実行されることで第２のペアリング情報が格納される。例えば、格納部１３は、不揮発性メモリである。
【００４５】
図４は、本発明の一実施形態に係るリモコン装置２の主要の制御ブロック図である。
図４に示すように、リモコン装置２は、第１の操作部３、第２の操作部９、無線通信部１４、制御部１５及び格納部１６を備えている。
【００４６】
無線通信部１４は、シャッター装置１の無線通信部１１と無線通信することで情報を送受する。この無線通信部１４の通信方式は、特に限定されないが、本実施形態では、無線通信部１１と同様に短距離無線通信規格ＲＦ４ＣＥが用いられる。
【００４７】
制御部１５は、一以上のシャッター装置１とペアリングが完了している場合には、開スイッチ４が操作されると第１の操作信号を当該シャッター装置１に送信する。また、制御部１５は、一以上のシャッター装置１とペアリングが完了している場合には、閉スイッチ５が操作されると第２の操作信号を当該シャッター装置１に送信する。さらに、制御部１５は、一以上のシャッター装置１とペアリングが完了している場合には、停止スイッチ６が操作されると停止信号を当該シャッター装置１に送信する。
【００４８】
制御部１５は、いずれのシャッター装置１とも関連付けが行われていない場合、すなわち、いずれのシャッター装置１ともペアリングされていない場合には、リモコン装置２への第１の操作によるペアリング処理の実行を有効とする。これにより、制御部１５は、いずれのシャッター装置１ともペアリングされていない場合には、第２の操作部９が操作されること、又はリモコン装置２に対して第１の操作が行われることでペアリング処理を実行する。
【００４９】
この第１の操作は、第１の操作部３への操作である。例えば、第１の操作は、開スイッチ４、閉スイッチ５、停止スイッチ６及びメニュースイッチ７のうち、一つのスイッチの短押し操作とは異なる操作である。具体的には、例えば、第１の操作は、開スイッチ４、閉スイッチ５、停止スイッチ６及びメニュースイッチ７のうち、二つ以上のスイッチの同時押し、又は、一つ以上のスイッチの長押しである。
【００５０】
このように、制御部１５は、いずれのシャッター装置１ともペアリングされていない場合には、リモコン装置２に対する第１の操作を有効として第１の操作によるペアリング処理を実行可能とする。
【００５１】
一方、制御部１５は、シャッター装置１との関連付けが完了している場合、すなわち、一以上のシャッター装置１とペアリングされている場合には、リモコン装置２への第１の操作によるペアリング処理の実行を無効とする。これにより、制御部１５は、一以上のシャッター装置１とペアリングされている場合には、第２の操作部９が操作されることでのみペアリング処理を実行する。なお、本発明の「第２の操作」は、第２の操作部９に対する操作である。
このように、制御部１５は、一以上のシャッター装置１とペアリングされている場合には、例えば、リモコン装置２に対する第１の操作を無効として、第１の操作によるペアリング処理の実行を禁止する。
【００５２】
さらに、制御部１５は、一以上のシャッター装置１とペアリングされている場合には、通常モードに移行し、第１の操作部３や第２の操作部９の操作を待機する。この通常モードとは、ペアリング処理が完了しているシャッター装置１の遠隔操作を行うことが可能なモードである。換言すれば、通常モードとは、ペアリング処理が完了しているシャッター装置１の遠隔操作を行うことが可能なモードであって、第１の操作によるペアリング処理の実行が禁止されているモードである。
【００５３】
なお、制御部１５は、ペアリング処理を実行するにあたって、シャッター装置１にペアリング要求信号を送信する。そして、制御部１５は、ペアリング要求信号を送信したシャッター装置１から第１のペアリング情報を受信する。また、制御部１５は、第２のペアリング情報をシャッター装置１に送信する。
そして、制御部１５は、シャッター装置１から受信した第１のペアリング情報を格納部１３に格納することで、第１のペアリング情報を登録する。
【００５４】
制御部１５は、ＣＰＵ又はＭＰＵなどのマイクロプロセッサ、ＭＣＵなどのマイクロコントローラなどにより構成されてよい。
【００５５】
格納部１６には、ペアリング処理が実行されることで第１のペアリング情報が格納される。例えば、格納部１６は、不揮発性メモリである。
【００５６】
次に、本発明の一実施形態に係るリモコン装置２の動作の流れの一例を説明する。図５は、本発明の一実施形態に係るリモコン装置２の動作のフロー図である。
【００５７】
リモコン装置２の電源スイッチ（不図示）がオンされた場合、又は電池が電池ボックス８に挿入された場合には、リモコン装置２に電源が投入される（スイッチＳ１０１）。
リモコン装置２に電源が投入されると、制御部１５は、第１のペアリング情報が登録されているか否かを判定する（ステップＳ１０２）。例えば、制御部１５は、格納部１６に第１のペアリング情報が格納されているか否かを判定し、第１のペアリング情報が格納部１６に一つも格納されていなければ、第１のペアリング情報が登録されていないと判定する。「第１のペアリング情報が登録されていない」とは、リモコン装置２が複数のシャッター装置１のいずれともペアリングされていないことを示す。すなわち、リモコン装置２とペアリングしているシャッター装置１が存在しないことを示す。
【００５８】
一方、制御部１５は、第１のペアリング情報が格納部１６に格納されていれば、第１のペアリング情報が登録されていると判定する。「第１のペアリング情報が登録されている」とは、一以上のシャッター装置１とリモコン装置２とがペアリングされていることを示す。制御部１５は、第１のペアリング情報が格納部１６に格納されていれば、通常モードに移行する（ステップＳ１０９）。
【００５９】
制御部１５は、第１のペアリング情報が登録されていないと判定した場合には、ペアリングモードに移行して（ステップＳ１０３）、リモコン装置２に対するユーザのペアリング操作を待機する（ステップＳ１０４）。このペアリング操作とは、ペアリング処理を実行させるための操作である。
【００６０】
制御部１５がペアリング操作を待機している状態において、制御部１５は、ペアリング操作が行われたか否かを判定する（ステップＳ１０５）。
例えば、制御部１５は、ペアリングモードにおいて、第２の操作部９が操作された場合、又はリモコン装置２に対して第１の操作が行われた場合には、ペアリング操作が行われたと判定して、シャッター装置１とのペアリング処理を実行する（ステップＳ１０６）。
【００６１】
ここで、ペアリングモードにおいて、ペアリング操作が行なわれるのは、工場の出荷やシャッター装置の施工時でほとんどであって、作業者によりに行われることが多い。したがって、作業者は、シャッター装置の出荷や施工時において第１の操作（例えば、開スイッチ４及び停止スイッチ６の同時押し）を行うだけで、ペアリング処理を実行させることができる。
【００６２】
一方、制御部１５は、ペアリングモードにおいて、第２の操作部９が操作された場合及びリモコン装置２に対して第１の操作が行われた場合のいずれの場合にも該当しない場合には、ペアリング操作が行われていないと判定する。そして、制御部１５は、ペアリング操作の待機を継続する。
【００６３】
制御部１５は、ペアリング処理が完了すると（ステップＳ１０７）、ペアリング操作のうち、第１の操作を無効化する（ステップＳ１０８）。すなわち、制御部１５は、第１の操作によってペアリング処理が実行されることを禁止する。換言すれば、制御部１５は、第１の操作が行われてもペアリング要求信号を送信しない。
これにより、リモコン装置２は、ユーザが通常使用時にリモコン装置２を操作するにあたって、ユーザの第１の操作部３に対する誤操作によってペアリング処理が実行されることを抑制することができる。
【００６４】
制御部１５は、ペアリング処理が完了すると通常モードに移行する（ステップＳ１０９）。制御部１５は、通常モードにおいて、リモコン装置２から操作信号を取得した場合には、その操作信号に応じてシャッターカーテン１ａの開閉を行う。
また、制御部１５は、通常モードにおいて、ペアリング操作が行われたか否かを判定しており（ステップＳ１１０）、このペアリング操作が行われたと判定した場合には、当該ペアリング操作が第１の操作か否かを判定する（ステップＳ１１１）。
【００６５】
制御部１５は、通常モードにおいて、ペアリング操作として第１の操作が行われたと判定した場合には、ペアリング処理を実行せずに（ステップＳ１１２）、ステップＳ１１０の処理に移行する。すなわち、制御部１５は、ステップＳ１０８で第１の操作によるペアリング処理を禁止しているため、第１の操作が行われてもペアリング処理を実行しない。
【００６６】
一方、ステップＳ１１１において、制御部１５は、ペアリング操作として第１の操作が行われていない、すなわち、第２の操作（第２の操作部９の操作）が行われたと判定した場合には、現在ペアリングしているシャッター装置１とは別のシャッター装置１とペアリング処理を実行する（ステップＳ１１３）。そして、制御部１５は、当該ペアリング処理が完了した場合には（ステップＳ１１４）、ステップＳ１１０の処理に移行する。
【００６７】
次に、本発明の一実施形態に係るリモコン装置２とシャッター装置１とのペアリング処理の流れを、図６を参照して具体的に説明する。図６は、本発明の一実施形態に係るリモコン装置２とシャッター装置１とのペアリング処理のシーケンス図であって、一例として、短距離無線通信規格ＲＦ４ＣＥに準拠したシーケンスを示している。
【００６８】
リモコン装置２の制御部１５は、ペアリング要求信号をシャッター装置１に送信する（ステップＳ２０１）。シャッター装置１の制御部１２は、制御部１５からペアリング要求信号を受信すると（ステップＳ２０２）、確認信号であるＡＣＫをリモコン装置２に送信する（ステップＳ２０３）。
【００６９】
次に、シャッター装置１の制御部１２は、第１のペアリング情報をリモコン装置２に送信する（ステップＳ２０４）。リモコン装置２の制御部１５は、シャッター装置１から第１のペアリング情報を受信すると、ＡＣＫをシャッター装置１に送信する（ステップＳ２０５）。そして、制御部１５は、第１のペアリング信号の登録の準備が完了したことを示すペアリング完了信号をシャッター装置１に送信する（ステップＳ２０６）。
【００７０】
シャッター装置１の制御部１２は、リモコン装置２からペアリング完了信号を受信した場合には（ステップＳ２０７）、ＡＣＫをリモコン装置２に送信する（ステップＳ２０８）。
リモコン装置２の制御部１５は、送信したペアリング完了信号のＡＣＫがシャッター装置１から受信した場合には、第２のペアリング情報を送信する（ステップＳ２０９）。
【００７１】
シャッター装置１の制御部１２は、リモコン装置２から第２のペアリング情報を受信すると、ＡＣＫをリモコン装置２に送信する（ステップＳ２１０）。そして、制御部１５は、第２のペアリング信号の登録の準備が完了したことを示すペアリング完了信号をリモコン装置２に送信する（ステップＳ２１１）。
【００７２】
リモコン装置２の制御部１５は、シャッター装置１からペアリング完了信号を受信した場合には（ステップＳ２１２）、ＡＣＫをシャッター装置１に送信する（ステップＳ２１３）。そして、リモコン装置２の制御部１５は、第１のペアリング情報を格納部１６に格納することで当該第１のペアリング情報を登録する（ステップＳ２１４）。一方、シャッター装置１の制御部１２は、送信したペアリング完了信号のＡＣＫがリモコン装置２から受信した場合には、第２のペアリング情報を格納部１３に格納することで当該第２のペアリング情報を登録する（ステップＳ２１５）。このように、リモコン装置２における第１のペアリング情報の登録と、シャッター装置１における第２のペアリング情報の登録とは、ほぼ同時に実行される。
【００７３】
リモコン装置２の制御部１５は、第１のペアリング情報の登録が完了すると、通常モードに移行して待機する（ステップＳ２１６）。一方、シャッター装置１の制御部１２は、第２のペアリング情報の登録が完了すると、リモコン装置２からの操作信号の受信を待機する（ステップＳ２１７）。
【００７４】
ここで、第１の操作が第１の操作部３の短押しとして設定されている場合において、制御部１５は、シャッター装置１とペアリングされている状態で第１の操作が行われた場合には、その短押しされた第１の操作部３（例えば、開スイッチ４、閉スイッチ５、停止スイッチ６又はメニュースイッチ７）の操作信号や停止信号、設定信号をシャッター装置１に送信する。すなわち、本実施形態では、制御部１５は、通常モードにおいて、第１の操作によるペアリング処理の実行を無効にしていればよく、操作信号や停止信号、設定信号の送信までは無効にしていない。
ただし、制御部１５は、第１の操作が同時押しに設定されている場合において、シャッター装置１とペアリングされている状態で第１の操作（同時押し）が行われた場合には、その第１の操作（同時押し）を無効化し、操作信号の送信を行わなくてもよい。ただし、制御部１５は、第１の操作として、停止スイッチ６を含む同時押しが設定されている場合には、シャッター装置１とペアリングされている状態で第１の操作が行われた場合に停止信号をシャッター装置１に送信してもよい。
例えば、リモコン装置２の制御部１５は、一以上のシャッター装置１とペアリングされている場合において、第１の操作として、開スイッチ４（又は閉スイッチ５）と停止スイッチ６との同時押しが行われた場合にはシャッター装置１に停止信号を送信してもよい。すなわち、制御部１５は、第１の操作として、一以上のシャッター装置１とペアリングされている場合において、開スイッチ４、閉スイッチ５、及び停止スイッチ６のうち、停止スイッチ６を含む二つ以上のスイッチの同時押しが設定されている場合には、操作信号ではなく停止信号を優先してシャッター装置１に送信してもよい。
【００７５】
したがって、制御部１５は、上記ステップＳ１０８において、ペアリング操作のうち、第１の操作を完全に無効化にしなくてもよい。制御部１５は、第１の操作として停止スイッチ６を含む同時押しが設定されている場合には、上記ステップＳ１０８において、シャッター装置１とペアリングされている状態で第１の操作が行われた場合には、第１の操作を完全に無効化せずに停止信号をシャッター装置１に送信してもよい。
例えば、制御部１５は、上記ステップＳ１０８において、一以上のシャッター装置１とペアリングされている状態で第１の操作が行われたときにシャッター装置１に送信する信号を、シャッター装置１とペアリングされていない状態で第１の操作が行われたときにシャッター装置１に送信する信号とは別の信号に切り替えて送信してもよい。すなわち、一以上のシャッター装置１とペアリングされている状態で第１の操作が行われたときにリモコン装置２からシャッター装置１に送信する信号と、シャッター装置１とペアリングされていない状態で第１の操作が行われたときにリモコン装置２からシャッター装置１に送信する信号とが異なっていればよい。
【００７６】
以上、この発明の実施形態について図面を参照して詳述してきたが、具体的な構成はこの実施形態に限られるものではなく、この発明の要旨を逸脱しない範囲の設計等も含まれる。
【００７７】
（変形例）
上記実施形態のリモコン装置２とシャッター装置１とのペアリング処理において、リモコン装置２及びシャッター装置１のうち、一方の装置が他方の装置のペアリング情報の登録に失敗した場合には、他方の装置は、一方の装置のペアリング情報の登録を解除してもよい。例えば、リモコン装置２の制御部１５は、シャッター装置１が第２のペアリング情報の登録に失敗した場合には、その登録に失敗したシャッター装置１の第１のペアリング情報の登録を解除してもよい。ここで、「第１のペアリング情報の登録を解除」とは、登録に失敗したシャッター装置１の第１のペアリング情報の登録を行いわないこと、又は、当該第１のペアリング情報を格納部１６から削除することである。
同様に、シャッター装置１の制御部１２は、リモコン装置２が第１のペアリング情報の登録に失敗した場合には、その登録に失敗したリモコン装置２の第２のペアリング情報の登録を解除してもよい。ここで、「第２のペアリング情報の登録を解除」とは、登録に失敗したリモコン装置２の第２のペアリング情報の登録を行わないこと、又は、当該第２のペアリング情報を格納部１３から削除することである。
【００７８】
例えば、図５に示すステップＳ２１５において、電源断等が発生して第２のペアリング情報の登録が失敗したと仮定する。この場合には、リモコン装置２の制御部１５は、操作信号をシャッター装置１に送信したにもかかわらず、当該操作信号のＡＣＫが受信できない。したがって、制御部１５は、複数回、同一の操作信号を操作対象のシャッター装置１に送信したにもかかわらず、一つもＡＣＫが受信できない場合には、格納部１６に格納されている上記操作対象のシャッター装置１の第２のペアリング情報を削除してもよい。
【００７９】
また、図５に示すステップＳ２１４において、電源断等が発生して第１のペアリング情報の登録が失敗したと仮定する。この場合には、リモコン装置２の操作対象であるシャッター装置１には、リモコン装置２の第２のペアリング情報を登録されている。ただし、リモコン装置２には、操作対象であるシャッター装置１の第１のペアリング情報が登録されていない。したがって、シャッター装置１の制御部１２は、ペアリング処理が実行された場合において、ペアリング要求信号の送信先がすでに登録済みのリモコン装置２である場合には、当該ペアリング処理における第２のペアリング情報の登録を省略してもよいし、第２のペアリング情報を上書きしてもよいし、格納部１３にすでに格納されている第２のペアリング情報を削除してもよい。また、シャッター装置１の制御部１２は、ペアリング処理が実行された場合において、リモコン装置２から受信した第２のペアリング情報が格納部１３にすでに格納されている場合には、当該ペアリング処理における第２のペアリング情報の登録を省略してもよいし、第２のペアリング情報を上書きしてもよいし、格納部１３にすでに格納されている第２のペアリング情報を削除してもよい。
【００８０】
以上、説明したように、本発明の一実施形態に係るリモコン装置２は、シャッター装置１とペアリング処理を行うことでシャッター装置１の遠隔操作が可能となる装置である。そして、リモコン装置２は、シャッター装置１とペアリングされていない場合には、リモコン装置２に対する第１の操作によってペアリング処理を実行し、一以上のシャッター装置１とペアリングされている場合には、第１の操作が行われてもペアリング処理を実行しない制御部１５を備える。
【００８１】
ここで、ペアリング処理の実行とは、ペアリング要求信号を送信する処理であってもよいし、第１のペアリング情報及び第２のペアリング情報の少なくともいずれかを送信する処理であってもよいし、第１のペアリング情報及び第２のペアリング情報の少なくともいずれかを登録する処理であってもよいし、それらをすべて含むものであってもよい。例えば、「第１の操作が行われてもペアリング処理を実行しない」とは、第１の操作が行われてもペアリング要求信号を送信しないことであってもよいし、第２のペアリング情報をシャッター装置１に送信しないことであってもよいし、第１のペアリング情報を登録しないことであってもよい。
【００８２】
このような構成によれば、シャッター装置の出荷前や施工時において、作業者が容易にペアリング処理を実行可能であって、且つ、リモコン装置２に対するユーザの誤操作によってペアリング要求信号の送信を防止し、ペアリング処理が実行されることを抑制することができる。すなわち、無駄なペアリング処理の実行を抑制することができる。
【００８３】
また、制御部１５は、複数のシャッター装置１のうち、一以上の前記シャッター装置１とペアリングされている場合には、リモコン装置２に対して第１の操作とは異なる第２の操作が行われことでのみペアリング処理を実行してもよい。
【００８４】
このような構成によれば、リモコン装置２に対するユーザの誤操作によってペアリング処理が実行されることを抑制しながら、ユーザが所望するタイミングでペアリング処理を実行可能となる。
【００８５】
また、上記リモコン装置２は、第１の操作部３及び第２の操作部９を備えてもよい。そして、第１の操作は、第１の操作部３への操作であり、第２の操作は、第２の操作部９への操作であってもよい。具体的には、第１の操作部３は、前隔操作を行うことが可能な操作部であり、第２の操作部９は、ペアリング処理の行うための専用の操作部であってもよい。
【００８６】
このような構成によれば、シャッター装置の出荷前や施工時において、容易にペアリング処理を実行可能であり、且つ、ユーザの誤操作によってペアリング処理が実行されることを抑制可能である。
【００８７】
また、上記第１の操作は、第１の操作部３が備える複数のスイッチ（例えば、開スイッチ４、閉スイッチ５、停止スイッチ６及びメニュースイッチ７）のうち、一つのスイッチの短押し操作とは異なる操作である。
【００８８】
このような構成によれば、シャッター装置の出荷前や施工時において、第２の操作部９を操作することなく、且つ、通常の操作とは異なる操作によってペアリング処理を実行可能である。これにより、作業者は、混同することなく容易にペアリング処理が実行させることができる。
【００８９】
また、上記シャッターシステムでは、リモコン装置２及びシャッター装置１のうち、一方の装置が他方の装置の識別情報を含むペアリング情報の登録に失敗した場合には、他方の装置は、一方の装置の識別情報を含むペアリング情報の登録を解除してもよい。
【００９０】
このような構成によれば、電源断や通信障害等で、リモコン装置２及びシャッター装置１のうち、一方の装置が他方の装置の識別情報を含むペアリング情報の登録に失敗した場合には、他方の装置は、一方の装置の識別情報を含むペアリング情報の登録を解除することで、再度、ペアリング処理を実行可能とすることができる。
【符号の説明】
【００９１】
Ａ  シャッターシステム
１  シャッター装置
２  リモコン装置
３  第１の操作部
９  第２の操作部
１５  制御部
【図１】
2020088696.tif 000003
【図２】
2020088696.tif 000004
【図３】
2020088696.tif 000005
【図４】
2020088696.tif 000006
【図５】
2020088696.tif 000007
【図６】
2020088696.tif 000008